(57)【特許請求の範囲】
【請求項１】
エアゾール式製品の作動モード設定用のアクチュエータと、平板担体を取外し可能な形で容器本体側のカバー体の一部に挿入したときの前記平板担体との係止作用により、前記アクチュエータを作動モードに継続して保持する連続作動モード設定機構において、
前記アクチュエータは、
作動モードから静止モードへ復帰する上方向に弾性力で付勢され、
作動モードを設定するための操作上面と、
当該操作上面とは別部分であって、静止モードでは前記弾性力により前記平板担体との係止対象外の上方位置に設定され、前記操作上面に対する利用者の操作により前記弾性力に抗しながら下方に移動して前記平板担体との係止対象範囲の下方位置に設定される、被係止部とを備え、
前記カバー体は、
前記平板担体が着脱自在な形で挿入されて、かつ、挿入後の前記平板担体の少なくとも上下方向位置を保持するための保持部を備え、
前記被係止部は、
前記操作上面から下方に連続形成され、前記下方位置において利用者が前記平板担体を前記保持部から前方向に挿入するとき前記平板担体と当接して利用者に連続作動モードの設定操作終了を感得させる第一の上下方向面と、
当該第一の上下方向面よりも後下方に形成され、前記上方位置において利用者が前記平板担体を前記保持部から前方向へ挿入するとき前記平板担体と当接してそれ以上の誤挿入操作を阻止する第二の上下方向面と、
前記第一および当該第二の上下方向面それぞれの間の前後方向に連続形成され、前記下方位置において利用者が前記平板担体を前記保持部から前方向に挿入した状態で、前記平板担体の前側下面部分との係止作用により前記アクチュエータを作動モードに継続して保持する前後方向上面と、を有し、
前記アクチュエータおよび前記カバー体は、
前記被係止部を静止モードの位置から前記下方位置に移動させた後で前記平板担体が前記保持部から前方向へ挿入されたときに、前記平板担体の前記前側下面部分が前記被係止部の前記前後方向上面に当接し、かつ、前記平板担体の後側部分の上面および下面がそれぞれ露出し、
前記下方位置での前記平板担体の前記前側下面部分と前記被係止部の前記前後方向上面との当接状態が、前記平板担体への前記保持部の上下方向位置保持作用により、前記弾性力に抗する形で継続する、
態様に設定されている、
ことを特徴とする連続作動モード設定機構。
【請求項２】
前記被係止部の前後方向上面は、
平面部であり、
前記保持部は、
横状態の前記平板担体が挿入される開口部である、
ことを特徴とする請求項１記載の連続作動モード設定機構。
【請求項３】
前記アクチュエータは、
前記カバー体に回動可能な形で取り付けられた作動モード設定操作用の回動タイプのアクチュエータである、
ことを特徴とする請求項１または２に記載の連続作動モード設定機構。
【請求項４】
請求項１乃至３のいずれかに記載の連続作動モード設定機構を備え、かつ、噴射用ガスおよび内容物を収容した、
ことを特徴とするエアゾール式製品。
【発明の詳細な説明】
【技術分野】
【０００１】
本発明は、エアゾール式製品を対象とした連続作動モード設定機構に関する。
特にエアゾール式製品の作動モードおよび静止モードを選択的に設定するためのアクチュエータを、その連続作動モードの位置に、当該アクチュエータの一部とコインなどの平板担体との係止作用で簡単，確実に保持し、かつ、この保持状態の解除を比較的操作な操作で行えるものである。
【０００２】
本明細書では「アクチュエータ」の語を、内容物放出操作に対応した上下動によりエアゾール容器のバルブ作用を呈するステムに取り付けられて、内容物を外部空間域に噴射するための作動部の意で用いる。
【０００３】
また、バルブ機構が一時的に開いた内容物噴射状態を「作動モード」といい、バルブ機構が閉じた内容物封止状態を「静止モード」といい、バルブ機構が継続して開いたガス抜き状態，内容物連続噴射状態を「連続作動モード」という。
【０００４】
また、内容物噴射口の側を「前」とし、後述のコイン挿入口の側を「後」とする。すなわち図１および図２の左側が「前」で右側が「後」となる。そして、この前後に対する両側を「左」，「右」とする。
【０００５】
また、コインなどの平板担体をいわば寝かした状態を「横状態」という。図１および図２の各コインはそれぞれ横状態に設定されている。
【０００６】
なお、エアゾール式製品の連続作動モードが設定された場合、容器内容物をまだ使い切ってないときは内容物連続噴射状態となり、容器内容物を略消尽しているときはガス抜き状態となる。
【０００７】
内容物連続噴射状態とガス抜き状態とはもっぱらいわば用途上の違いにすぎず、エアゾール式製品の動作機構としては、これら各状態はともにアクチュエータがその作動位置に継続的に保持されているものである。すなわち当該各状態のそれぞれにおけるバルブ機構などの動作メカニズムの違いはない。
【０００８】
このエアゾール式製品の連続作動モードが利用者の不意の誤操作によって設定されることなく、かつ、当該連続作動モードの設定およびその解除が利用者の格別煩雑な操作を要せずに行えることが望ましく、本発明はこのような要請に応えるものである。
【背景技術】
【０００９】
従来、コインとアクチュエータとの係止作用に基づいてエアゾール式製品を連続作動モードに設定する機構が提案されている（例えば、特許文献１参照）。
【００１０】
この連続作動モード設定機構は、
(11)利用者が、回動タイプのアクチュエータの押圧操作面にコインを載せてから当該コインを下方に押圧し、かつ前方にスライドさせ、
(12)このスライド動作により、コインの前側部分が、上述容器本体に取り付けられてアクチュエータの回動基部でもあるカバー体のいわば天井部分の下方に入り込み、
(13)この下側に入り込んだコインが、当該天井部分とアクチュエータとの間に挟持された状態でアクチュエータをその作動モード位置に保持している。
【００１１】
なお、上記(13)のコインはその後側が押圧操作面の前側部分に載っており、かつ、周知のステム・アクチュエータ付勢用のコイルスプリングの弾性作用により上方向に付勢されて、カバー体天井部分との間に強く挟持されている。
【００１２】
また、当該コインは、その下面全体がいわばカバー体の中に入り込み、その上面の一部（＝上記天井部分と当接していない部分）のみが当該カバー体から露出している。すなわち利用者が連続作動モードを解除しようとする場合に、その操作対象となり得るのはこのコイン上面の一部などにすぎない。カバー体の中に入り込んでいるコイン下面は当該操作対象とはなりえない。
【先行技術文献】
【特許文献】
【００１３】
【特許文献１】特開２００６−６９６２９号公報
【発明の概要】
【発明が解決しようとする課題】
【００１４】
このように、従来の連続作動モード設定機構からなるエアゾール式製品の連続作動モードを設定しようとする利用者は、
(21)コインをアクチュエータの押圧操作面に載せ、
(22)この載置されたコインを押下げ、かつ前方にスライドさせる、
ことが必要となる。
【００１５】
また、いったん設定した連続作動モードを解除しようとする利用者は、
(31)上述したように押圧操作面の前側部分に載った形でアクチュエータとカバー体との間にコイルスプリングの作用で強く挟持されている、コインに対し、
(32)その上下面の上面のみに触れて当該コインを後方に引き出す、
ことが必要となる。
【００１６】
すなわち、連続作動モード設定の際は、アクチュエータの押圧操作面にセットしたコインに対する下方向への押圧操作および横方向へのスライド操作を要し、かつ、連続作動モード解除の際に、利用者がコインをその上下面把持状態で後方に引き抜くことはできない。
【００１７】
そのため、連続作動モードの設定および解除の際の操作性が悪く、エアゾール式製品としての利便性にかけるという問題点があった。
【００１８】
そこで、本発明では、
(41)アクチュエータに対する通常（コインなどの平板担体を用いない）のステム下動用の作動モード設定操作および、これとは独立した形の平板担体に対する横方向からのカバー体へのセット操作を行うことにより、平板担体の上下面それぞれの後側部分がカバー体から露出して利用者がこの上下の露出部分を把持可能な形で、アクチュエータの連続作動モードを設定保持し、
(42)また、アクチュエータを作動モードの位置に設定したいわば連続作動モード準備状態におけるカバー体への平板担体のセット操作のときに、当該平板担体の前端部分とぶつかる部分をアクチュエータに設け、利用者が、このぶつかり（当接）にともなう当該セット操作の終了感を認識できる、
(43)さらには上記(42)とは逆に、静止モードにおいて平板担体がカバー体にセットされようとした場合にはその初期段階で当該平板担体のそれ以上の移動を阻止する、
ようにしている。
【００１９】
本発明はこれらにより、エアゾール式製品の連続作動モードの設定操作および解除操作それぞれの簡単化，確実化を図ることを目的とする。
【課題を解決するための手段】
【００２０】
本発明は、以上の課題を次のようにして解決する。
（１）エアゾール式製品の作動モード設定用のアクチュエータ（例えば後述のアクチュエータ２）と、平板担体（例えば後述のコイン１）を取外し可能な形で容器本体側のカバー体（例えば後述のカバー体３）の一部（例えば後述の横開口部３ｃ）に挿入したときの前記平板担体との係止作用により、前記アクチュエータを作動モードに継続して保持する連続作動モード設定機構において、
前記アクチュエータは、
作動モードから静止モードへ復帰する上方向に弾性力で付勢され、
作動モードを設定するための操作上面（例えば後述の操作上面２ａ）と、
当該操作上面とは別部分であって、静止モードでは前記弾性力により前記平板担体との係止対象外の上方位置に設定され、前記操作上面に対する利用者の操作により前記弾性力に抗しながら下方に移動して前記平板担体との係止対象範囲の下方位置に設定される、被係止部（例えば後述の後垂下曲面２ｂおよび凸状片部２ｃ）とを備え、
前記カバー体は、
前記平板担体が着脱自在な形で挿入されて、かつ、挿入後の前記平板担体の少なくとも上下方向位置を保持するための保持部（例えば後述の横開口部３ｃ）を備え、
前記被係止部は、
前記操作上面から下方に連続形成され、前記下方位置において利用者が前記平板担体を前記保持部から前方向に挿入するとき前記平板担体と当接して利用者に連続作動モードの設定操作終了を感得させる第一の上下方向面（例えば後述の後垂下曲面２ｂ）と、
当該第一の上下方向面よりも後下方に形成され、前記上方位置において利用者が前記平板担体を前記保持部から前方向へ挿入するとき前記平板担体と当接してそれ以上の誤挿入操作を阻止する第二の上下方向面（例えば後述の凸状片部２ｃの後側面部）と、
前記第一および当該第二の上下方向面それぞれの間の前後方向に連続形成され、前記下方位置において利用者が前記平板担体を前記保持部から前方向に挿入した状態で、前記平板担体の前側下面部分との係止作用により前記アクチュエータを作動モードに継続して保持する前後方向上面（例えば後述の凸状片部２ｃの上平面部）と、を有し、
前記アクチュエータおよび前記カバー体は、
前記被係止部を静止モードの位置から前記下方位置に移動させた後で前記平板担体が前記保持部から前方向へ挿入されたときに、前記平板担体の前記前側下面部分が前記被係止部の前記前後方向上面に当接し、かつ、前記平板担体の後側部分の上面および下面がそれぞれ露出し、
前記下方位置での前記平板担体の前記前側下面部分と前記被係止部の前記前後方向上面との当接状態が、前記平板担体への前記保持部の上下方向位置保持作用により、前記弾性力に抗する形で継続する、
構成態様のものを用いる。
（２）上記（１）において、
前記被係止部の前後方向上面は、
平面部であり、
前記保持部は、
横状態の前記平板担体が挿入される開口部である、
構成態様のものを用いる。
（３）上記（１），（２）において、
前記アクチュエータは、
前記カバー体に回動可能な形で取り付けられた作動モード設定操作用の回動タイプのアクチュエータである、
構成態様のものを用いる。
【００２１】
このような構成からなる連続作動モード設定機構および、この連続作動モード設定機構を備えたエアゾール式製品を本発明の対象としている。
【発明の効果】
【００２２】
本発明は以上の課題解決手段により、
(51)エアゾール式製品の連続作動モードの設定操作および解除操作それぞれの簡単化，確実化を図り、
(52)連続作動モード設定後もカバー体から露出した状態になっている平板担体後側の上下それぞれの面部分を利用者が確実に把持可能であり、連続作動モードの解除操作に関して、より一層の利便化を図る、
(53)利用者は平板担体とアクチュエータの一部とのぶつかり感によって連続作動モードの設定操作終了を感得でき、
(54)利用者が静止モードのときに間違って平板担体をカバー体にセットしようとした場合にそれを阻止する、
ことができる。
【図面の簡単な説明】
【００２３】
【図１】連続作動モード設定用の治具であるコインがカバー体に挿入されていない静止モードを示す説明図であり、(a)はエアゾール式製品の上面形状を示し、(b)はアクチュエータ，カバー体の断面形状などを示している。
【図２】コインがカバー体に挿入された状態の連続作動モードを示す説明図であり、(a)はエアゾール式製品の上面形状を示し、(b)はアクチュエータ，カバー体の断面形状などを示している。
【図３】エアゾール式製品の構成要素である容器本体，カバー体，アクチュエータおよびノズルユニットなどを個々に、かつ、それぞれを関連付けて示した説明図である。
【発明を実施するための形態】
【００２４】
図１〜図３を用いて本発明の実施形態を説明する。
【００２５】
図１〜図３で用いるアルファベット付き参照番号の構成要素（例えば操作上面２ａ）は原則として、当該参照番号の数字部分の構成要素（例えばアクチュエータ２）の一部であることを示している。
【００２６】
これらの図において、
１はエアゾール式製品の連続作動モードを設定する際に、後述の横開口部３ｃに挿入される平板担体としてのコイン，
２は作動モード設定操作用の回動タイプのアクチュエータ，
２ａは複数の左右方向溝が形成された操作上面，
２ｂは当該アクチュエータの後外面を構成し、連続作動モードが設定可能な状態で横開口部３ｃに挿入されるコイン１がぶつかる形のコイン受け部として作用する上下方向の後垂下曲面，
２ｃは当該後垂下曲面の下端部分に後方へ飛び出る態様で形成されて、コイン１の下面前端側部分との当接係止作用により連続作動モードを設定する上平面部および、当該アクチュエータが静止モードの状態でコイン１が横開口部３ｃに挿入されたときにはコイン前端周面と当接してそれ以上のコイン挿入動作を阻止する誤動作防止部分としての後平面部、を備えた凸状片部，
２ｄは当該アクチュエータの左右外面それぞれの前端部分に形成された円柱状で一対の回動軸，
２ｅは当該回動軸のそれぞれからこれより低い形で上方に続く一対の縦凸状部，
２ｆは当該アクチュエータの内部に形成されたＬ字状通路部，
２ｇは当該Ｌ字状通路部の流入口，
をそれぞれ示している。
【００２７】
また、
３は容器本体側に取り付けられて回動タイプのアクチュエータ２を保持するカバー体，
３ａは当該カバー体の左右両側に形成された一対の起立壁部，
３ｂは当該起立壁部の後端部分同士を連結する後側基部，
３ｃは当該後側基部に形成されたコイン挿入用の横開口部，
３ｄは当該後側基部の内面上下方向に形成されてアクチュエータ２の凸状片部２ｃの上下動を許容する溝状部，
３ｅは当該溝状部の底面からその前方に続く円弧状輪郭の狭底面部分であって、アクチュエータ後端側下端部分との当接作用によりアクチュエータ２の作動モード方向への回動限界を設定する後端側底面，
３ｆは当該後端側底面の前方に連続形成されて後述の環状凹部６ａと嵌合する筒状部，
３ｇは起立壁部３ａそれぞれの前端側内面部分に形成されて回動軸２ｄを支持する軸受け凹状部，
３ｈは当該軸受け凹状部の直上方に形成されて縦凸状部２ｅそれぞれの最上前端面との当接作用によりアクチュエータ２の静止モード方向への回動限界を設定する一対の、それぞれが当該縦凸状部より幅広の縦凹状部，
をそれぞれ示している。
【００２８】
また、
４はアクチュエータ２のＬ字状通路部２ｆの流出側に嵌合状態で取り付けられた周知の２ウェイ形式（＝短尺ノズル＋長尺ノズル）のノズルユニット，
４ａは短尺ノズルおよび長尺ノズルそれぞれの上流側通路部として作用する共通通路部，
４ｂは短尺ノズル，
４ｃは当該短尺ノズルが組み込まれてその迂回路部分を備え、共通通路部４ａに対する回動操作が可能な長尺ノズル，
５は後述の内容物および噴射用ガスを収納したエアゾール式製品の容器本体，
５ａは当該容器本体の斜面状の肩部，
６は当該肩部の上側開口部に巻締め結合により取り付けられた周知のマウンティングカップ，
６ａは容器本体５と当該マウンティングカップとの巻締部分に生成される環状凹部，
７はマウンティングキャップ６に固定保持された噴射対象内容物貯留用の周知のハウジング（図示省略）に、周知のコイルスプリング（図示省略）の作用により上方向に付勢されかつ上下動可能な形で配設されて周知のバルブ作用を呈し、また、内容物通過用の内部通路を備えてその流出側がアクチュエータ２のＬ字状通路部２ｆの流入口２ｇに取り付けられたステム，
をそれぞれ示している。
【００２９】
ここで、アクチュエータ２，カバー体３，ノズルユニット４およびステム７はポリプロピレン，ポリエチレン，ポリアセタール，ナイロン，ポリブチレンテレフタレートなどからなるプラスチック製のものである。また、容器本体５およびマウンティングキャップ６は金属製のものである。
【００３０】
図示のガス抜きモード設定機構の基本的特徴は、
(61)アクチュエータ２の操作上面２ａに対する利用者の押圧操作により、当該アクチュエータが下方に十分回動した状態（凸状片部２ｃがカバー体３の後端側底面３ｅに接近または当接して、当該凸状片部の上面部分がコイン挿入用の横開口部３ｃよりも下に位置する状態）に設定され、
(62)この設定状態で、利用者がコイン１を横開口部３ｃに後側から横状態で挿入することにより、その前端部分がアクチュエータ２の後垂下曲面２ｂに当接して、その後側部分の上下面それぞれが当該横開口部から露出した状態となり、
(63)コイン挿入後のアクチュエータ２の押圧操作解除により、ステム７と一体の当該アクチュエータが周知のコイルスプリングの作用で静止モード位置へ回動復帰しようとして、凸状片部２ｃの上面部分がコイン１の前端側裏部分に係止される、
ことである。
【００３１】
すなわち、アクチュエータ２に対する（コインを使用しない）通常の作動モード設定操作と、カバー体３に対するコイン１の横方向への挿入操作とのいわば独立した二段階操作により、連続作動モードを設定している。
【００３２】
そして、連続作動モード設定後のコインはその後側の上下面がともに横開口部３ｃの外側に露出している。
【００３３】
連続作動モードを解除するには、コイン１の横開口部３ｃからの露出部分の上下面を把持しながら後方に移動させればよい。
【００３４】
コイン１が横開口部３ｃから引き抜かれると、ステム７と一体のアクチュエータ２は、周知のコイルスプリングの上方向への弾性力により図２(b)の反時計方向へ回動して図１の静止モード位置へ復帰する。このときの回動中心は一対の回動軸２ｄである。
【００３５】
また、利用者が横開口部３ｃにコイン１を挿入するとき、その前端部分がアクチュエータ２の後垂下曲面２ｂにあたるまでいわば無意識に入れていけばよい。利用者がコイン１の挿入範囲に注意する必要はない。
【００３６】
また、アクチュエータ２が上記(61)の状態に移行していないとき、例えば図１の状態で利用者が横開口部３ｃにコイン１を間違って挿入したとしても、その前端部分が凸状片部２ｃの後面に当たってそれ以上のコイン挿入操作が阻止される。すなわちコイン１の誤挿入操作を防止している。
【００３７】
図１の静止モードでは、カバー体３の横開口部３ｃにコイン１は挿入されておらず、コイルスプリング（図示省略）の上方向への弾性力を受けた状態のステム７と連動するアクチュエータ２が図１(b)の反時計方向への回動限界位置に保持されている。
【００３８】
このときアクチュエータ２は、その縦凸状部２ｅそれぞれの最上前端面がカバー体３の縦凹状部３ｈの上下方向の前側内面に当接している。また、ステム７を構成する周知のバルブ作用部は閉状態に設定されている。
【００３９】
そして図２の連続作動モードへと移行するには例えば、
(71)静止モードのアクチュエータ２を下方に十分押圧した状態で、コイン１を後方からカバー体３の横開口部３ｃにいわば横スライドさせて挿しこんでいき、
(72)コイン前端部分がアクチュエータ２の後垂下曲面２ｂにぶつかって、コイン１をそれ以上挿しこめなくなった段階でアクチュエータ２の押圧操作を解除すればよい。
【００４０】
この横開口部３ｃに挿入された横状態のコイン１が上下方向に移動できないことは勿論である。
【００４１】
連続作動モードにおいては、コイルスプリングの弾性力で上方向に付勢されるアクチュエータ２の凸状片部２ｃとコイン１との係止作用により、当該アクチュエータが静止モードのときよりも図２(b)の時計方向に回動した状態、すなわちステム７が下動してその一部である周知のバルブ作用部が「開」となった状態が、継続的に保持される。
【００４２】
このバルブ作用部の開状態への移行により、容器本体５の内容物や噴射用ガスが「ステム７のバルブ作用部−ステム７の内部通路−アクチュエータ２の流入口２ｇ−Ｌ字状通路部２ｆ−ノズルユニット４」を経て外部空間域に噴射される。
【００４３】
なお、共通通路部４ａ，短尺ノズル４ｂおよび長尺ノズル４ｃなどからなるノズルユニット４自体は周知である。例えば特開2000-61370号公報で開示されている。
【００４４】
利用者が、連続作動モード保持状態のコイン１の上下各面の露出部分を把持して引き出すと、凸状片部２ｃに対するそれまでのコイン係止作用が解除される。
【００４５】
このコイン１の係止作用が解除されると、ステム７に対するコイルスプリング（図示省略）の上方向への付勢力が当該ステムと一体のアクチュエータ２にも働くので、当該アクチュエータはその回動軸２ｄを中心に上方向へと回動する。そしてこの回動により、アクチュエータ２は図１の静止モード位置へ復帰する。
【００４６】
なお、図１の静止モードのアクチュエータ２を下方に押圧操作することにより、ステム７も連動してそのバルブ作用部が開いた状態の通常の作動モードに設定され、この押圧操作を解除するとアクチュエータ２およびステム７が上述のコイルスプリングの弾性作用により図１の静止モード位置に復帰するのは勿論である。
【００４７】
本発明が図示の内容に限定されないことは勿論であり例えば、
(81)コイン１に代えて、多角形を含む任意の形状の平板担体を用いる、
(82)アクチュエータ２に代えて、上述の特開2000-61370号公報で示されるトリガー式の回動タイプや、通常の押下げ式の上下動タイプのアクチュエータを用いる、
ようにしてもよい。
【００４８】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４９】
容器本体に収納する内容物は、例えば、粉状物，油成分，アルコール類，界面活性剤，高分子化合物，各用途に応じた有効成分などである。
【００５０】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５１】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５２】
アルコール類としては、エタノールなどの１価の低級アルコール，ラウリルアルコールなどの１価の高級アルコール，エチレングリコールなどの多価アルコールなどを用いる。
【００５３】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５４】
高分子化合物としては、メチルセルロース，ゼラチン，デンプン，カゼインなどを用いる。
【００５５】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５６】
さらに、上記内容物以外の、懸濁剤，紫外線吸収剤，乳化剤，保湿剤，酸化防止剤、金属イオン封鎖剤なども用いることができる。
【００５７】
エアゾール式製品における噴射用ガスとしては、炭酸ガス，亜酸化窒素ガス，窒素ガス，圧縮空気，酸素ガス，希ガス，これらの混合ガスなどの可溶性圧縮ガス，圧縮ガスや、液化石油ガス，ジメチルエーテル，フロロカーボンなどの液化ガスを用いる。
【符号の説明】
【００５８】
１：コイン（平板担体）
２：回動タイプのアクチュエータ
２ａ：操作上面
２ｂ：上下方向の後垂下曲面
２ｃ：凸状片部
２ｄ：一対の回動軸
２ｅ：一対の縦凸状部
２ｆ：Ｌ字状通路部
２ｇ：流入口
【００５９】
３：カバー体
３ａ：一対の起立壁部
３ｂ：後側基部
３ｃ：コイン挿入用の横開口部
３ｄ：溝状部
３ｅ：後端側底面
３ｆ：筒状部
３ｇ：軸受け凹状部
３ｈ：幅広の縦凹状部
【００６０】
４：ノズルユニット
４ａ：共通通路部，
４ｂ：短尺ノズル，
４ｃ：長尺ノズル
５：容器本体
５ａ：肩部
６：マウンティングカップ
６ａ：環状凹部
７：ステム
【図１】
0005793886.tif 000002
【図２】
0005793886.tif 000003
【図３】
0005793886.tif 000004